(57)【要約】【課題】光学フィルタの取付構造に関して、材料費と組立工数を削減し、光学フィルタとリヤカバー間のインピーダンスを低下させる。【解決手段】リアカバー１のフランジ部１ａに前面パネル２と固定するための挿通孔１ｂと、前面パネル２の背面に挿通孔１ｂと対応するネジ穴２ａとを設ける。また、光学フィルタ３は、前面パネル２の左側面の段部２ｂに合わせて配設され、リアカバー１と前面パネル２とをリアカバー１の背面からネジ４を挿通孔１ｂに挿通し、ネジ穴２ａに螺着することにより、段部２ｂとフランジ部１ａとで挟持されて固定される。一方、フランジ部１ａの前面側には金属性のガスケット５が設けられており、このガスケット５を介して光学フィルタ３の背面に貼り付けられた金属箔や金属メッシュとリアカバー１とが電気的に接続される。【選択図】　図１
2004045778.tif 000002
【特許請求の範囲】
【請求項１】
ＰＤＰ（プラズマディスプレイパネル）を用いた表示装置の不要輻射の防止や色補正などを行なう光学フィルタをＰＤＰの表示面前面に付設する光学フィルタ取付構造において、
前記表示装置の後部を覆う有底状のリヤカバーの開放口周囲にフランジ部を設け、前記光学フィルタの前面周囲を覆う前面パネルと前記フランジ部とで前記光学フィルタを挟持して固定するとともに、前記フランジ部に備えられた接触部と前記光学フィルタの背面とが電気的に接続されてなることを特徴とする光学フィルタ取付構造。
【請求項２】
前記リアカバーのフランジ部に挿通孔と前記前面パネルの背面に前記挿通孔と対応するネジ穴とを設け、前記フランジ部の後方からネジを前記挿通孔に挿通し、前記ネジ穴に螺着することにより前記前面パネルと前記フランジ部とを固定してなることを特徴とする請求項１記載の光学フィルタ取付構造。
【請求項３】
前記リアカバーのフランジ部が前面方向に折曲され、第一挿通孔を備えた折曲部と、前記前面パネルの背面に前記折曲部と対応する溝と、前記前面パネルの外周側面に前記第一挿通孔と対応する第二挿通孔と、前記溝の内面に前記第一挿通孔と対応するネジ穴とを設け、前記前面パネルの外周側面からネジを前記第二挿通孔、前記第一挿通孔の順に挿通して前記ネジ穴に螺着することにより、前記前面パネルと前記フランジ部とを固定してなることを特徴とする請求項１記載の光学フィルタ取付構造。
【請求項４】
前記リアカバーのフランジ部が前面方向に折曲され、前記前面パネルの外周側面方向に突部を備えた折曲部と、前記前面パネルの背面に前記折曲部と対応する溝と、前記前面パネルの外周側面に前記突部と対応する挿通孔とを設け、前記折曲部を前記溝へ挿入し、前記突部が前記挿通孔へ嵌合することにより、前記前面パネルと前記フランジ部とを固定してなることを特徴とする請求項１記載の光学フィルタ取付構造。
【請求項５】
前記接触部は、導電性のガスケット、もしくは、前記フランジ部から前面方向に切り起こした切起からなることを特徴とする請求項１記載の光学フィルタ取付構造。
【発明の詳細な説明】
【０００１】
【発明の属する技術分野】
本発明は、ＰＤＰを用いた表示装置の不要輻射の防止や色補正などを行なう光学フィルタをＰＤＰの表示面前面に付設する光学フィルタ取付構造に関する。
【０００２】
【従来の技術】
従来、光学フィルタ取付構造は、例えば図５に示す構造となっている。
図５（Ａ）はＰＤＰを用いた表示装置の筐体構造を示した分解斜視図であり、見栄えをよくするため、プラスチックで成形された矩形の前面パネル８０と、不要輻射の防止や色補正などを行なう矩形の光学フィルタ８１と、同光学フィルタ８１を保持するともに、光学フィルタ８１の背面に張り付けられた金属箔または金属メッシュ（いずれも図示せず）と電気的に接続するための矩形のフロントケース８２と、表示装置の背面を覆い、有底状のリアカバー８３とで構成されている。
【０００３】
図５（Ｂ）に示すように鋼板からなるリヤカバー８３の開放口周囲にフランジ部８３ａが延出して設けられており、このフランジ部８３ａには複数の挿通孔８３ｂが備えられている。一方、フロントケース８２は、断面コ字型の金属フレームで構成されており、背面にはフランジ部８３ａの挿通孔８３ｂと対応してネジ孔を備えている。そして、ネジ８４によりリヤカバー８３とフロントケース８２とを螺着している。
また、フロントケース８２の前面には左右に複数のネジ孔が備えられており、光学フィルタ８１をフロントケース８２と挟持して固定するためのフィルタホルダ８５にネジ孔と対応して挿通孔が備えられている。
フィルタホルダ８５は断面略Ｚ字型の鋼板の金具であり、フィルタホルダ８５とフロントケース８２との間に光学フィルタ８１の周囲を配置し、ネジ８６によりフロントケース８２に螺着する。フロントケース８２とリヤカバー８３とは金属であるため、固定された光学フィルタ８１背面の金属メッシュや金属箔は、フロントケース８２を介してリヤカバー８３と電気的に接続される構造となっている。この構造によりＰＤＰやその駆動部、制御回路など（図示せず）を金属で包み込むことにより、内部からの不要輻射を防止している。
このフロントケース８２は、前面から前面パネル８０を嵌め込む構造になっており、フロントケース８２を覆い隠して見栄えをよくしている。
【０００４】
しかしながら、光学フィルタを固定するために、フロントケースとフィルタホルダが必要であるため材料費と組立工数が発生し、また、フロントケースを介してリヤカバーと電気的に接続される構造であるため、インピーダンスが増加して不要輻射特性が悪化する問題が有った。
【０００５】
【発明が解決しようとする課題】
本発明は以上述べた問題点を解決し、光学フィルタの取付構造に関して、材料費と組立工数を削減するとともに、光学フィルタとリヤカバー間のインピーダンスを低下させることを目的としている。
【０００６】
【課題を解決するための手段】
本発明は、上記問題点を解決するため、ＰＤＰ（プラズマディスプレイパネル）を用いた表示装置の不要輻射の防止や色補正などを行なう光学フィルタをＰＤＰの表示面前面に付設する光学フィルタ取付構造において、
前記表示装置の後部を覆う有底状のリヤカバーの開放口周囲にフランジ部を設け、前記光学フィルタの前面周囲を覆う前面パネルと前記フランジ部とで前記光学フィルタを挟持して固定するとともに、前記フランジ部に備えられた接触部と前記光学フィルタの背面とを電気的に接続する。
【０００７】
また、前記リアカバーのフランジ部に挿通孔と前記前面パネルの背面に前記挿通孔と対応するネジ穴とを設け、前記フランジ部の後方からネジを前記挿通孔に挿通し、前記ネジ穴に螺着することにより前記前面パネルと前記フランジ部とを固定する。
【０００８】
もしくは、前記リアカバーのフランジ部が前面方向に折曲され、第一挿通孔を備えた折曲部と、前記前面パネルの背面に前記折曲部と対応する溝と、前記前面パネルの外周側面に前記第一挿通孔と対応する第二挿通孔と、前記溝の内面に前記第一挿通孔と対応するネジ穴とを設け、前記前面パネルの外周側面からネジを前記第二挿通孔、前記第一挿通孔の順に挿通して前記ネジ穴に螺着することにより、前記前面パネルと前記フランジ部とを固定する。
【０００９】
もしくは、前記リアカバーのフランジ部が前面方向に折曲され、前記前面パネルの外周側面方向に突部を備えた折曲部と、前記前面パネルの背面に前記折曲部と対応する溝と、前記前面パネルの外周側面に前記突部と対応する挿通孔とを設け、前記折曲部を前記溝へ挿入し、前記突部が前記挿通孔へ嵌合することにより、前記前面パネルと前記フランジ部とを固定する。
【００１０】
また、前記接触部は、導電性のガスケット、もしくは、前記フランジ部から前面方向に切り起こした切起とする。
【００１１】
【発明の実施の形態】
以下、図面に基づいて本発明による光学フィルタ取付構造を詳細に説明する。本願の特徴は前面パネルとリアカバーの構造であるため、この部分を詳細に説明する。なお従来例と同じ構造部分、および本願で図示しない左側の部分は説明を省略する。
【００１２】
図１は本発明による光学フィルタ取付構造の第一実施例を示す、上面から見た要部断面図である。
リアカバー１のフランジ部１ａには、前面パネル２と固定するための挿通孔１ｂが備えられており、前面パネル２の背面には挿通孔１ｂと対応するネジ穴２ａが設けられている。
前面パネル２の断面は略矩形であり、左側面には光学フィルタ３の前面が当接するための段部２ｂが備えられている。光学フィルタ３はこの段部２ｂに合わせて配設され、リアカバー１と前面パネル２とをリアカバー１の背面からネジ４を挿通孔１ｂに挿通し、ネジ穴２ａに螺着することにより、段部２ｂとフランジ部１ａとで挟持されて固定される。
なお、ネジ穴２ａ通常の穴に変更し、ネジ４の代わりにタッピングネジを用いてもよい。
【００１３】
一方、フランジ部１ａの前面側には電気的接触を十分に行なうための接触部として金属性のガスケット５が設けられており、このガスケット５を介して光学フィルタ３の背面に貼り付けられた金属箔や金属メッシュとリアカバー１とが電気的に接続される構造となっている。
このように、前面パネル２の段部２ｂとリアカバー１のフランジ部１ａとが光学フィルタ３を挟持する構造とすることにより、光学フィルタ３のリアカバー１への固定と、光学フィルタ３背面の金属箔や金属メッシュとの電気的接触が同時に行なえるため、従来例でのフロントケースとフィルタホルダが不要となり、材料および取付工数を削減できるとともに、光学フィルタ３とリアカバー１間のインピーダンスを低減させることができる。
【００１４】
図２は第二実施例を示す、上面から見た要部断面図である。この例では図１に比べてガスケットを削減した構造を示している。
リアカバー２０のフランジ部２０ａには背面側から前面側に向かって断面円弧状の切起２０ｂが設けられており、この切起２０ｂが接触部であり、光学フィルタ３背面の金属箔や金属メッシュを押圧して接触する構造となっている。
こため、ガスケットを省略して材料および取付工数を削減できる。
【００１５】
図３は第三実施例であり、リアカバー３０と前面パネル３１との固定用のネジ３２を前面パネル３１の側面に設けた例である。
リアカバー３０のフランジ部３０ａが前面方向に折曲され、第一挿通孔３０ｂを備えた折曲部３０ｃと、前面パネル３１の背面に折曲部３０ｃと対応する溝３１ａと、前面パネル３１の外周側面に第一挿通孔３０ｂと対応する第二挿通孔３１ｂと、溝３１ａの内面に第一挿通孔３０ｂと対応するネジ穴３１ｃとを設ける。また、フランジ部３０ａには前述した接触部である切起３０ｅが備えられている。
そして、前面パネル３１の外周側面からネジ３２を第二挿通孔３１ｂ、第一挿通孔３０ｂの順に挿通してネジ穴３１ｃに螺着することにより、前面パネル３１とフランジ部３０ａとを固定する構造となっている。
【００１６】
このように、リアカバー３０と前面パネル３１との固定用のネジ３２を前面パネル３１の側面に設けることにより、表示装置が壁（図示せず）などに固定されていたとしても、壁に固定されたリアカバー３０（ＰＤＰや駆動回路、制御部も含む）を壁から取り外すことなく、前面パネル３１や光学フィルタ３３を取り外すことができるため、保守が容易な構造となる。また、製造工程においても、表示装置を裏返すことなく前面パネル３１や光学フィルタ３３を取り付けることが可能となり、工数を削減できる。
【００１７】
図４は第四実施例であり、リアカバーのフランジ部と前面パネルとの固定用のネジを省略した例である。
リアカバー４０のフランジ部４０ａが前面方向に折曲され、前面パネル４１の外周側面方向に突部４０ｂを備えた折曲部４０ｃと、前面パネル４１の背面に折曲部４０ｃと対応する溝４１ａと、前面パネル４１の外周側面に突部４０ｂと対応する挿通孔４１ｂとを設ける。
そして、折曲部４０ｃを溝４１ａへ挿入し、突部４０ｂが挿通孔４１ｂへ嵌合することにより、前面パネル４１とフランジ部４０ａとを固定する構造となっている。また、フランジ部４０ａには前述した接触部である切起４０ｄが備えられている。
このような構造により、リアカバー４０のフランジ部４０ａと前面パネル４１との固定用のネジを削減し、材料および取付工数を削減できる。
【００１８】
【発明の効果】
以上説明したように、本発明による光学フィルタ取付構造によれば、請求項１に係わる発明は、表示装置の後部を覆う有底状のリヤカバーの開放口周囲にフランジ部を設け、光学フィルタの前面周囲を覆う前面パネルとフランジ部とで光学フィルタを挟持して固定するとともに、フランジ部に備えられた接触部と光学フィルタの背面とが電気的に接続されることにより、
光学フィルタのリアカバーへの固定と、光学フィルタ背面の金属箔や金属メッシュとの電気的接触が同時に行なえるため、従来例でのフロントケースとフィルタホルダが不要となり、材料および取付工数を削減できるとともに、光学フィルタとリアカバー間のインピーダンスを低減させることができる。
【００１９】
また、請求項２に係わる発明は、リアカバーのフランジ部に挿通孔と前面パネルの背面に挿通孔と対応するネジ穴とを設け、フランジ部の後方からネジを挿通孔に挿通し、ネジ穴に螺着することにより前面パネルとフランジ部とを固定することにより、簡単な構造でリアカバーと前面パネルとを固定できる。
【００２０】
また、請求項３に係わる発明は、リアカバーのフランジ部が前面方向に折曲され、第一挿通孔を備えた折曲部と、前面パネルの背面に折曲部と対応する溝と、前面パネルの外周側面に第一挿通孔と対応する第二挿通孔と、溝の内面に第一挿通孔と対応するネジ穴とを設け、前面パネルの外周側面からネジを第二挿通孔、第一挿通孔の順に挿通してネジ穴に螺着して前面パネルとフランジ部とを固定することにより、
前面パネルや光学フィルタを前面側から取り外すことができるため、保守が容易な構造となる。また、製造工程においても、表示装置を裏返すことなく前面パネルや光学フィルタを取り付けることが可能となり、工数を削減できる。
【００２１】
また、請求項４に係わる発明は、リアカバーのフランジ部が前面方向に折曲され、前面パネルの外周側面方向に突部を備えた折曲部と、前面パネルの背面に折曲部と対応する溝と、前面パネルの外周側面に突部と対応する挿通孔とを設け、折曲部を溝へ挿入し、突部が挿通孔へ嵌合して前面パネルとフランジ部とを固定することにより、リアカバーのフランジ部と前面パネルとの固定用のネジを削減し、材料および取付工数を削減できる。
【００２２】
また、請求項５に係わる発明は、接触部を導電性のガスケットにすることにより、確実な電気的接続を可能とし、接触部をフランジ部から前面方向に切り起こした切起とすることにより、ガスケットを省略して材料および取付工数を削減できる。
【図面の簡単な説明】
【図１】本発明による光学フィルタ取付構造の第一実施例を示す、上面から見た要部断面図である。
【図２】本発明による光学フィルタ取付構造の第二実施例を示す、上面から見た要部断面図である。
【図３】本発明による光学フィルタ取付構造の第三実施例を示す、上面から見た要部断面図である。
【図４】本発明による光学フィルタ取付構造の第四実施例を示す、上面から見た要部断面図である。
【図５】従来の光学フィルタ取付構造を示す（Ａ）は分解斜視図、（Ｂ）は上面から見た断面図である。
【符号の説明】
１　リアカバー
１ａ　フランジ部
１ｂ　挿通孔
２　前面パネル
２ａ　ネジ穴
２ｂ　段部
３　光学フィルタ
４　ネジ
５　ガスケット
２０　リアカバー
２０ａ　フランジ部
２０ｂ　切起
３０　リアカバー
３０ａ　フランジ部
３０ｂ　第一挿通孔
３０ｃ　折曲部
３０ｅ　切起
３１　前面パネル
３１ａ　溝
３１ｂ　第二挿通孔
３１ｃ　ネジ穴
３２　ネジ
３３　光学フィルタ
４０　リアカバー
４０ａ　フランジ部
４０ｂ　突部
４０ｃ　折曲部
４０ｄ　切起
４１　前面パネル
４１ａ　溝
４１ｂ　挿通孔
４３　光学フィルタ
【図１】
2004045778.tif 000003
【図２】
2004045778.tif 000004
【図３】
2004045778.tif 000005
【図４】
2004045778.tif 000006
【図５】
2004045778.tif 000007